(57)【要約】  【課題】  盗難および落下防止のためのロック作業を容易にすることのできる監視カメラ装置を提供する。  【解決手段】  監視カメラ装置１０は、監視カメラ１２と、監視カメラ１２を取付穴に埋込状態で保持する取付ベース１４と、監視カメラ１２から突出したカメラ側ロック部材５０と、カメラ取外方向へのカメラ側ロック部材５０の動きをロックするベース側ロック部材５４と、ベース側ロック部材５４から取付穴１８の入口へ延びたロッド５６によってベース側ロック部材５４に連結されたロックレバー５８とを備える。ロックレバー５８に対するレバー操作に連動してベース側ロック部材５４が取付穴の中でカメラ側ロック部材５０をロックする。【選択図】  図１
2006222610.tif 000002
【特許請求の範囲】
【請求項１】
監視カメラと、
前記監視カメラを取付穴に埋込状態で保持する取付ベースと、
前記監視カメラから突出したカメラ側ロック部材と、
カメラ取外方向への前記カメラ側ロック部材の動きをロックするベース側ロック部材と、
前記ベース側ロック部材から前記取付穴の入口へ延びたロッドによって前記ベース側ロック部材に連結されたロックレバーと、
を備え、前記ロックレバーに対するレバー操作に連動して前記ベース側ロック部材が前記取付穴の中で前記カメラ側ロック部材をロックすることを特徴とする監視カメラ装置。
【請求項２】
前記ベース側ロック部材は、前記監視カメラの角度位置が所定の取付角度であるときの前記カメラ側ロック部材に対してカメラ取外方向側のロック場所に位置するロック部を有し、前記ロック部によって前記カメラ側ロック部材をロックすることを特徴とする請求項１に記載の監視カメラ装置。
【請求項３】
前記ロックレバーを前記取付ベースに固定するレバー固定ねじが備えられ、前記ロックレバーは、前記ロックレバー上におけるロック時のねじ位置と非ロック時のねじ位置の間に、前記ねじ頭部と当接して前記ロックレバーの動きを制限する突起部を有していることを特徴とする請求項１または２に記載の監視カメラ装置。
【請求項４】
カメラを取付穴に埋込状態で保持する取付ベースと、
前記カメラから突出したカメラ側ロック部材のカメラ取外方向への動きをロックするベース側ロック部材と、
前記ベース側ロック部材から前記取付穴の入口へ延びたロッドによって前記ベース側ロック部材に連結されたロックレバーと、
を備え、前記ロックレバーに対するレバー操作に連動して前記ベース側ロック部材が前記取付穴の中で前記カメラ側ロック部材をロックすることを特徴とするカメラ取付装置。
【請求項５】
取付穴に埋込状態で保持されるカメラから突出したカメラ側ロック部材と、
カメラ取外方向への前記カメラ側ロック部材の動きをロックするベース側ロック部材と、
前記ベース側ロック部材から前記取付穴の入口へ延びたロッドによって前記ベース側ロック部材に連結されたロックレバーと、
を備え、前記ロックレバーに対するレバー操作に連動して前記ベース側ロック部材が前記取付穴の中で前記カメラ側ロック部材をロックすることを特徴とするカメラ盗難落下防止装置。
【発明の詳細な説明】
【技術分野】
【０００１】
本発明は、盗難および落下防止機能を備えた監視カメラ装置に関する。
【背景技術】
【０００２】
従来、天井などの取付箇所に埋込状態で設置されるタイプの監視カメラが知られている（例えば、特許文献１参照）。この種の監視カメラ装置を実用化するときには、盗難および落下防止のためにロック機構が備えられる。
【０００３】
図７は、従来の監視カメラ装置の例を示している。監視カメラ装置１０１は、天井埋込型であり、カメラ１０３と取付ベース１０５で構成されている。取付ベース１０５は、天井１０７の取付穴１０９に備え付けられている。カメラ１０３は、下を向いた姿勢で、取付ベース１０５のカメラ取付面１１１に取り付けられている。カメラ取付面１１１が天井面より高い位置にある。これにより、カメラ１０３の胴体部分１１３が取付穴１０９に埋め込まれた状態にあり、そして、天井面からはドーム部分１１５のみが突出している。
【０００４】
カメラ３からはロック部材１１７が突出している。ロック部材１１７は、カメラ１０３の上端から突出している。そして、ロック部材１１７は、ロックねじ１１９で取付ベース１０５に固定されている。これにより、カメラ１０３の回動が阻止される（回り止め）。そして、カメラ１０３の盗難および落下が防止される。
【０００５】
ロック部材１１７を固定する作業では、ドライバ１２１が、取付穴１０９の入り口から、カメラ１０３の脇の隙間へと挿入される。そして、ドライバ１２１を使って、取付穴１０９の奥で、ロックねじ１１９がロック部材１１７の穴に通されて、取付ベース１０５に締め付けられる。
【特許文献１】特開２０００−１６５７１０号公報（第１２−１４ページ、図１）
【発明の開示】
【発明が解決しようとする課題】
【０００６】
しかしながら、従来の監視カメラ装置においては、天井裏が暗いことが多く、また、カメラ脇のドライバを通す隙間が狭く、さらにはドライバからロックねじが落ちやすいため、ロック作業が容易でないことがあるという問題があった。
【０００７】
本発明は、従来の問題を解決するためになされたもので、その目的は、盗難および落下防止のためのロック作業を容易にすることのできる監視カメラ装置を提供することにある。
【課題を解決するための手段】
【０００８】
本発明の監視カメラ装置は、監視カメラと、前記監視カメラを取付穴に埋込状態で保持する取付ベースと、前記監視カメラから突出したカメラ側ロック部材と、カメラ取外方向への前記カメラ側ロック部材の動きをロックするベース側ロック部材と、前記ベース側ロック部材から前記取付穴の入口へ延びたロッドによって前記ベース側ロック部材に連結されたロックレバーと、を備え、前記ロックレバーに対するレバー操作に連動して前記ベース側ロック部材が前記取付穴の中で前記カメラ側ロック部材をロックする。
【０００９】
この構成により、カメラ側ロック部材をロックするベース側ロック部材が設けられ、取付穴入口部分にロックレバーが設けられ、ロックレバーとベース側ロック部材が連結される。したがって、取付穴入口でロックレバーが操作されると、レバー操作に連動して取付穴の中でベース側ロック部材がカメラ側ロック部材をロックするので、ロック作業が容易になる。
【００１０】
また、本発明の監視カメラ装置において、前記ベース側ロック部材は、前記監視カメラの角度位置が所定の取付角度であるときの前記カメラ側ロック部材に対してカメラ取外方向側のロック場所に位置するロック部を有し、前記ロック部によって前記カメラ側ロック部材をロックする。
【００１１】
この構成により、監視カメラの角度位置が所定の取付角度からカメラ取外方向にずれている状態では、ベース側ロック部材がロックのために到達すべきロック場所に、カメラ側ロック部材が位置する。そのため、ベース側ロック部材がカメラ側ロック部材に突き当たり、ベース側ロック部材に連結されたロックレバーの動きが制限される。したがって、カメラが定位置に取り付けられたか否かを容易に確認できる。
【００１２】
また、本発明の監視カメラ装置には、前記ロックレバーを前記取付ベースに固定するレバー固定ねじが備えられ、前記ロックレバーは、前記ロックレバー上におけるロック時のねじ位置と非ロック時のねじ位置の間に、前記ねじ頭部と当接して前記ロックレバーの動きを制限する突起部を有している。
【００１３】
この構成により、レバー固定ねじが多少緩んでも、レバー固定ねじの頭部がロックレバーの突起部に当接し、ロックレバーの動きが制限される。したがって、ロック状態の解除を防止できる。
【００１４】
また、本発明の別態様はカメラ取付装置であり、このカメラ取付装置は、カメラを取付穴に埋込状態で保持する取付ベースと、前記カメラから突出したカメラ側ロック部材のカメラ取外方向への動きをロックするベース側ロック部材と、前記ベース側ロック部材から前記取付穴の入口へ延びたロッドによって前記ベース側ロック部材に連結されたロックレバーと、を備え、前記ロックレバーに対するレバー操作に連動して前記ベース側ロック部材が前記取付穴の中で前記カメラ側ロック部材をロックする。この態様によっても、上述の監視カメラ装置の態様と同様に、ロック作業を容易にできる。
【００１５】
また、本発明の別態様はカメラ盗難落下防止装置である。このカメラ盗難落下防止装置は、取付穴に埋込状態で保持されるカメラから突出したカメラ側ロック部材と、カメラ取外方向への前記カメラ側ロック部材の動きをロックするベース側ロック部材と、前記ベース側ロック部材から前記取付穴の入口へ延びたロッドによって前記ベース側ロック部材に連結されたロックレバーと、を備え、前記ロックレバーに対するレバー操作に連動して前記ベース側ロック部材が前記取付穴の中で前記カメラ側ロック部材をロックする。この態様によっても、上述の監視カメラ装置の態様と同様に、ロック作業を容易にできる。
【発明の効果】
【００１６】
本発明は、カメラ側ロック部材をロックするベース側ロック部材を設け、取付穴入口部分にロックレバーを設け、ロックレバーをベース側ロック部材と連結したことにより、盗難および落下防止のためのロック作業を容易にできるという効果を有する監視カメラ装置を提供することができる。
【発明を実施するための最良の形態】
【００１７】
以下、本発明の実施の形態の監視カメラ装置について、図面を用いて説明する。
【００１８】
本発明の実施の形態に係る監視カメラ装置を図１および図２に示す。図１は監視カメラ装置１０をそのロック機構をともに示す斜視図であり、図２は、監視カメラ装置１０が天井に備えられた状態を示している。
【００１９】
監視カメラ装置１０は、図２に示されるように、監視カメラ１２（以下、単にカメラ１２と呼ぶ）と取付ベース１４とで構成されている。取付ベース１４は、天井板１６の取付穴１８に備え付けられた金具である。カメラ１２は、下方を向き、取付穴１８に埋め込まれた姿勢で、取付ベース１４に取り付けられている。
【００２０】
取付ベース１４は、環状の下プレート２０を有する。下プレート２０は、取付穴１８の縁部に沿うようにして、天井板１６の下側に位置している。下プレート２０からは、４本の支柱２２が上方に延びている。そして、上プレート２４が、４本の支柱２２によって、天井板１６より高い位置に支持されている。上プレート２４は、天井裏の中に位置しており、中央にブラケット部２５が設けられている。図示されないが、ブラケット２５は、天井裏の上面から垂下したロッドにナットで固定されている。
【００２１】
各々の支柱２２には、天井押え具２６が取り付けられている。天井押え具２６は、ベース取付ねじ２８を中心として、閉位置と開位置との間で回動可能である。閉位置では、天井押え具２６が、下プレート２０の円の接線方向を向く。開位置では、４つの天井押え具２６が放射状になる。天井押え具２６はスプリングで開位置に向けて付勢されている。
【００２２】
取付状態では、天井押え具２６が開位置にある。そして、天井押え具２６がベース取付ねじ２８によって下方に押されており、天井押え具２６と下プレート２０によって天井板１６が挟まれている。これにより、取付ベース１４が天井板１６に固定されている。
【００２３】
上プレート２４は、環状のプレートである。上プレート２４の下側の中央に、取付板３０がねじで固定されている。そして、カメラ１２は、下を向いた姿勢で、取付板３０に取り付けられている。
【００２４】
カメラ１２は、胴体部分３２とドーム部分３４とで構成されている。胴体部分３２が取付穴１８に埋まっており、ドーム部分３４は天井板１６の下面から露出している。本実施の形態では、胴体部分３２が寸胴形状ではない。胴体部分３２は、途中から錐状に拡大するラッパ型の形状を有している。
【００２５】
また、監視カメラ装置１０には、環状の保護カバー（図示されない）が下側から取り付けられている。保護カバーにより取付ベース５が隠されている。また、取付穴１８とカメラ１２の隙間も保護カバーで覆われる。そして、カメラ１２のドーム部分３４のみが保護カバーから露出する。その他、監視カメラ１２には、電源ケーブルおよび映像出力ケーブルが接続されている。また、監視カメラ１２は安全ワイヤで取付ベース１４に連結され取付ベース１４は安全ワイヤで天井に連結されている。
【００２６】
図３を参照すると、カメラ１２の上面が取り付けられる取付板３０には、３つの係合穴３６が設けられている。係合穴３６は、円弧状の細長い穴である。係合穴３６は、端部の入口３８と、入口３８から延びるガイド部４０で構成されている。入口３８の幅はガイド部４０より大きい。３つの係合穴３６にそれぞれ対応して、カメラ１２の端面には３つの係合突起（図示されない）が備えられている。係合突起は入口３８を通るが、ガイド部４０は通らない。これら係合突起が係合穴３６の入口３８から挿入され、カメラ１２が矢印で示されるように時計方向に回動される。これにより、カメラ１２が取付板３０に取り付けられる。
【００２７】
カメラ１２は、係合突起がガイド部４０の端に突き当たるまで回動される。このときのカメラ１２の角度位置が、予め設定されたカメラ１２の取付角度である。本実施の形態では、入口３８から取付位置までの回動角度は、１５度である。
【００２８】
次に、盗難および落下防止のためのロック機構の構成を説明する。図１に示されるように、ロック機構は、カメラ側ロック部材５０と、ベース側ロックツール５２とを備えている（なお、図２ではロック機構は示されていない）。ベース側ロックツール５２は、ベース側ロック部材５４と、ベース側ロック部材５４にロッド５６で連結されたロックレバー５８とで構成されている。図１では、ロック機構がロック状態にある。
【００２９】
図４（ａ）〜図４（ｃ）は、ベース側ロックツール５２を３方向から見た斜視図である。また、図５は、非ロック状態とロック状態のロック機構を、下プレート２０の下方から見た図であり、ベース側ロック部材５０とベース側ロックツール５２との位置関係を示している。
【００３０】
カメラ側ロック部材５０は、カメラ１２から突き出した金属板製の突起で構成された金具である。カメラ側ロック部材５０は、カメラ１２の上端から横向きに突出しており、したがって、上プレート２４の直下にある。
【００３１】
ベース側ロック部材５４は、高さ方向にカメラ側ロック部材５０と同じ位置にある金具である。ベース側ロック部材５４は、図１および図５のロック状態では、カメラ側ロック部材５０と係合し、カメラ取外方向へカメラ１２が回るのを阻止し、これによりカメラ側ロック部材５０の動きをロックしている。カメラ取外方向は、カメラ１２が取付板３０から外れるときに回る方向であり、本実施の形態では反時計回り（下から見たとき）である。
【００３２】
より詳細には、ベース側ロック部材５４は、金属板を折り曲げることにより形成されており、ロック壁部６０を有している。本実施の形態では、このロック壁部６０がロック部であり、カメラ側ロック部材５０に対してカメラ取外方向に隣のロック場所に位置している。すなわち、ロック壁部６０は、カメラ１２を取り外すときにカメラ側ロック部材５０が動く方向に位置している。これにより、カメラ１２が外れるようなカメラ側ロック部材５０の移動が阻止される。
【００３３】
本実施の形態では、ロック状態でベース側ロック部材５４がカメラ側ロック部材５０と接している。ただし、ベース側ロック部材５４がカメラ側ロック部材５０に接触せず、近くにあってもよい。このような配置および構成も、ベース側ロック部材５４とカメラ側ロック部材５０の係合またはロックに含まれる。
【００３４】
ロッド５６は、カメラ側ロック部材５０から、取付穴１８の入口へ向かって下方に延びており、ベース側ロックツール４２の回動のシャフトとして機能する。ロッド５６は、支柱２２に沿って取付穴１８の入口へ延び、下プレート２０まで達している。
【００３５】
ロックレバー５８は、扇型の金属板で構成された金具であり、ロッド５６の先端に取り付けられている。ロックレバー５８は、下プレート２０の下側に位置しており、下プレート２０に対して回動可能である。
【００３６】
ロックレバー５８、ロッド５６およびベース側ロック部材５４は、一体になって回動可能に、取付ベース１４に取り付けられている。回動中心は、ロッド５６を通る鉛直方向の軸である。ロック作業では、ロックレバー５８の回動操作に伴ってベース側ロックプレート５４が回動する。図５に示されるように、非ロック状態では、ベース側ロック部材５４がカメラ側ロック部材５０から離れている。ロック作業では、図５に矢印Ａで示されるように、ロックレバー５８が反時計方向に回動される。ロックレバー５８の回動操作に連動して、図５に矢印Ｂで示されるように、ベース側ロックプレート５４も反時計方向に回動する。ロック状態では、ベース側ロック部材５４がカメラ側ロック部材５０に係合し、カメラ側ロック部材５０をロックする。
【００３７】
ロックレバー５８には、円弧状の長穴６２が設けられている。円弧の中心は上記の回動軸である。レバー固定ねじ６４が長穴６２に通されて下プレート２０に締め付けられている。これにより、レバー固定ねじ６４が固定される。
【００３８】
ロックレバー５８には、２つのねじ位置が設けられている。一方は非ロック時のねじ位置６６であり、他方はロック時のねじ位置６８である。非ロック状態では、レバー固定ねじ６４が非ロック時のねじ位置６６にあり、ロック状態では、レバー固定ねじ６４がロック時のねじ位置６８にある。ロックレバー５８が回動されると、レバー固定ねじ６４が長穴６２内を移動する。ただし、これは、ロックレバー５８に対するレバー固定ねじ６４の相対的な移動である。実際には、レバー固定ねじ６４は移動せず、ロックレバー５８が移動する。
【００３９】
ロックレバー５８は、非ロック時のねじ位置６６とロック時の位置６８の間に突起部７０を有している。突起部７０は、長穴６２のほぼ中央に位置している。突起部７０は、レバー固定ねじ６４のねじ頭部と当接して、ロックレバー５８の動きを制限する。この制限機能は、レバー固定ねじ６４が突起部７０を越えない程度に緩んでいるときに発揮される。
【００４０】
以上に、本実施の形態の監視カメラ装置１０の構成を説明した。次に、監視カメラ装置１０の組立順序を説明する。天井板１６には予め取付穴１８が開けられているとする。
【００４１】
まず、取付ベース１４が天井板１６に取り付けられる。取付ベース１４は、天井押え具２６が閉じた状態で、下方から取付穴１８に挿入される。４枚の天井押え具２６は、天井板１６より上側にて、スプリングの付勢力で放射状に開かれる。この状態で、ベース取付ねじ２８が回される。これにより、天井押え具２６と下プレート２０が天井板１６を挟み込み、取付ベース１４が天井板１６に固定される。また、上プレート２４の中央ブラケット部２５が、天井裏のロッドに固定される。
【００４２】
次に、カメラ１２が取付ベース１４に取り付けられる。取付ベース１４には予め取付板３０が固定されている。カメラ１２は下方から持ち上げられ、取付穴１６に挿入される。そして、カメラ１２の端面の係合突起が、取付板３０の係合穴３６に挿入され、それからカメラ１２が時計方向（図３の矢印参照）に回される。カメラ１２が約１５度回されると、カメラ１２の係合突起が取付穴３０の係合穴３６の端に突き当たる。これにより、カメラ１２が所定の取付位置に配置される。この状態で、カメラ１２の胴体部分３２が取付穴１８に埋め込まれ、ドーム部分３４が天井板１６の下面から突き出す。
【００４３】
次に、ロックレバー５８が回される。ロックレバー５８は、図５に矢印Ａで示されるように、反時計方向（下から見て）に回される。このとき、ロック固定ねじ６４は、突起部７０を乗り越えられる程度に緩められている。
【００４４】
ロックレバー５８が回ると、ロッド５６およびベース側ロック部材５４もロックレバー５８と一緒に回る（矢印Ｂ）。ベース側ロック部材５４は、上プレート２４の直下で水平方向に回る。そして、ベース側ロック部材５４は、カメラ側ロック部材５０に当接するまで回される。このとき、ベース側ロック部材５４のロック壁部６０が、カメラ側ロック部材５０に対して、カメラ取外方向から接触する。
【００４５】
こうして、ベース側ロック部材５４がカメラ側ロック部材５０に係合し、カメラ側ロック部材５４の動きをロックする。カメラ１２の取外方向の回動が阻止され、したがって、カメラ１２の盗難および落下が防止される。
【００４６】
さらに、環状の保護カバーが下側から取り付けられる。これにより、取付ベース５が隠され、また、取付穴１８とカメラ１２の隙間も保護カバーで覆われる。そして、カメラ１２のドーム部分３４が保護カバーから露出する。
【００４７】
次に、本実施の形態のロック機構を利用して実現されるカメラ取付状態の確認について説明する。前述したように、カメラ１２を固定するときは、係合突起が取付板３０の係合穴３６に差し込まれ、それから、カメラ１２が所定の取付位置まで回される。そして、カメラ１２の角度位置が図５に示されるような正しい取付角度にあれば、ベース側ロック部材５４は、ロック操作によってカメラ側ロック部材５０をロックできる。このとき、ベース側ロック部材５４のロック壁部６０が、カメラ側ロック部材５０に対してカメラ取外方向に隣側のロック場所に位置して、カメラ側ロック部材５０をロックする。
【００４８】
しかし、カメラ１２の角度位置が所定の取付角度からずれている状態では、ベース側ロック部材５４がロックのために到達すべき上記ロック場所に、カメラ側ロック部材５０が位置することになる。すなわち、ベース側ロック部材５４のロック場所が、カメラ側ロック部材５０で占められる。そのため、ベース側ロック部材５４は、カメラ側ロック部材５０に突き当たり、ロック場所まで到達できない。そして、ベース側ロック部材５４に連結されたロックレバー５８の動きが制限される。これにより、ロックレバー５８をロック時の正しい位置まで回動できない。レバー固定ねじ５４がロック時のレバー上のねじ位置５８に達するようにロックレバー５８を回動することもできない。
【００４９】
このことから、本実施の形態では、ロックレバー５８をロック時のレバー位置まで回動できるか否かによって、カメラ１２が所定の取付位置にて取り付けられているか否かを容易に確認することができる。
【００５０】
次に、図６は、取付ベース１４の分割構造を示している。取付ベース１４の上プレート２４は、４本の支柱２２にねじ８０で固定されている。ねじ８０を緩めることで、上プレート２４を支柱２２から取り去ることができる。そして、取付ベース１４を、天井板１６への固定部分と、カメラ１２の取付部分とに分割できる。
【００５１】
このような分割構成により、カメラ１２を、下からだけでなく、上からも取り外すことが可能になる。この場合、作業者は、取付ベース１４のねじ８０を取り外し、上プレート２４を支柱２２から切り離す。そして、作業者は、上プレート２４からカメラ１２を取り外す。
【００５２】
従来は、カメラ１２の脱着は、天井の下からしかできなかった。そのため、天井裏に作業者が入れる構造の建物でも、作業者は、はしごを用意して、カメラ１２を下から取り外していた。これに対して、本実施の形態では、天井裏に作業者が入れる場合には、作業者が天井裏でカメラ１２のメンテ作業を行える。したがって、メンテナンス性が向上する。
【００５３】
以上に本発明の実施の形態に係る監視カメラ装置１０について説明した。本実施の形態によれば、カメラ側ロック部材５０をロックするベース側ロック部材５４が設けられ、取付穴１８の入口部分にロックレバー５８が設けられ、ロックレバー５８がベース側ロック部材５４と連結されている。したがって、取付穴１８の入口でロックレバー５８が操作されると、レバー操作に連動して取付穴１８の中でベース側ロック部材５４がカメラ側ロック部材５０をロックするので、ロック作業が容易である。
【００５４】
特に、本実施の形態の監視カメラ装置１０は、下記に説明するように、仮に従来のねじ式のロック機構が設けられてもロック作業が容易でないので、上述のレバー式のロック機構が好適に用いられる。すなわち、従来のねじ式のロック機構では、カメラ上端のロック部材が取付ベースにねじで固定される。このとき、カメラ胴体の脇の隙間にドライバが挿入される。しかし、本実施の形態では、カメラ胴体が寸胴ではなく、錐状に拡大している。したがって、従来のロック機構が採用されると、ドライバが斜めに挿入されなくてはならない。そのため、ねじ止め箇所が見づらく、また、ねじがドライバから落ちやすく、さらには、ドライバの挿入方向が締付方向に対して斜めになる。したがって、締付作業が容易でない。これに対して、本実施の形態のロック機構によれば、カメラが錐状の胴体を有する場合でも、ロック作業が容易である。
【００５５】
また、本実施の形態によれば、ベース側ロック部材５４が、カメラ１２の角度位置が所定の取付角度であるときのカメラ側ロック部材５０に対してカメラ取外方向側のロック場所に位置するロック部を有し、このロック部によってカメラ側ロック部材５０をロックする。したがって、カメラ１２の角度位置が所定の取付角度からカメラ取外方向にずれている状態では、ベース側ロック部材５４がロックのために到達すべきロック場所に、カメラ側ロック部材５０が位置する。すなわち、ロック場所がカメラ側ロック部材５０に占められてしまう。そのため、ベース側ロック部材５４がカメラ側ロック部材５０に突き当たり、ベース側ロック部材５４に連結されたロックレバー５８の動きが制限される。したがって、カメラ１２が定位置に確実に取り付けられたか否かの設置状態を容易に確認できる。
【００５６】
また、本実施の形態によれば、ロックレバー５８を取付ベース１４に固定するレバー固定ねじ６４が備えられている。そして、ロックレバー５８は、レバー上におけるロック時のねじ位置６６と非ロック時のねじ位置６８の間に係合部７０を有し、係合部７０がねじ頭部と当接してロックレバー５８の動きを制限する。したがって、レバー固定ねじ６４が多少緩み、ロックレバー５８が少し回ったとしても、レバー固定ねじ６４の頭部がロックレバー５８の突起部７０に当接し、これによりロックレバー５８の動きが制限される。したがって、ロック状態の解除を防止できる。
【００５７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５８】
以上のように、本発明にかかる監視カメラ装置は、盗難および落下防止のためのロック作業を容易にできるという効果を有し、監視カメラ装置等として有用である。
【図面の簡単な説明】
【００５９】
【図１】本発明の実施の形態における監視カメラ装置の斜視図
【図２】本発明の実施の形態における監視カメラ装置の正面図
【図３】カメラ取付部の構造を示す図
【図４】ベース側ロックツールを３方向から見た斜視図
【図５】非ロック時とロック時のロック機構を示す図
【図６】取付ベースの分割構造を示す図
【図７】従来の監視カメラ装置のロック機構を示す図
【符号の説明】
【００６０】
１０  監視カメラ装置
１２  監視カメラ
１４  取付ベース
１６  天井板
１８  取付穴
３２  胴体部分
３４  ドーム部分
５０  カメラ側ロック部材
５２  ベース側ロックツール
５４  ベース側ロック部材
５６  ロッド
５８  ロックレバー
６０  ロック壁部
６２  長穴
６４  レバー固定ねじ
６６  非ロック時のねじ位置
６８  ロック時のねじ位置
７０  突起部
【図１】
2006222610.tif 000003
【図２】
2006222610.tif 000004
【図３】
2006222610.tif 000005
【図４】
2006222610.tif 000006
【図５】
2006222610.tif 000007
【図６】
2006222610.tif 000008
【図７】
2006222610.tif 000009